(57)【要約】【課題】デジタルカメラの撮影に使用する外付けストロボにおいて、操作を簡単にして適正露出の高品位な写真が撮れるようにする方法及び装置と多機能化して操作つまみを少なくする方法及び装置を提供することである。【解決手段】  デジタルカメラの撮影に外付けストロボを用いて写真を撮る場合、デジタルカメラの内蔵ストロボの光が被写体に当たるのを防ぐ遮光手段を設け、導光手段により内蔵ストロボの信号を導き外付けストロボを発光させる方法及び装置であり、カメラ側からの信号をトリガーとして外付けストロボのプレ発光と本発光を制御する事により適正な露出になるように改良し、プレ発光の光量を適正化して外付けストロボの操作つまみで露出補正が出来るようにすると共に回路を共通化することにより多機能化して操作つまみを少なくしたことを特徴とするデジタルカメラ用外付けストロボの発光制御方法及び装置を提供することである。【選択図】    図５
2006119556.tif 000002
【特許請求の範囲】
【請求項１】
デジタルカメラの内蔵ストロボの信号を信号検出手段により検出して、その信号により外付けストロボを発光動作させる方法において、
内蔵ストロボがプレ発光したとき、その発光信号をトリガーとして外付けストロボを発光開始させるプレ発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたデジタルカメラ用外付けストロボの発光制御方法。
【請求項２】
デジタルカメラの内蔵ストロボの信号を信号検出手段により検出して、その信号により発光動作する外付けストロボ装置において、
内蔵ストロボがプレ発光したとき、その発光信号をトリガーとして外付けストロボを発光開始させるプレ発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたデジタルカメラ用外付けストロボの発光制御装置。
【請求項３】
デジタルカメラの内蔵ストロボの信号を信号検出手段により検出して、その信号により外付けストロボを発光動作させる方法において、
内蔵ストロボがプレ発光したとき、その発光信号をトリガーとして外付けストロボを発光開始させるプレ発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたデジタルカメラ用外付けストロボの発光制御方法。
【請求項４】
デジタルカメラの内蔵ストロボの信号を信号検出手段により検出して、その信号により発光動作する外付けストロボ装置において、
内蔵ストロボがプレ発光したとき、その発光信号をトリガーとして外付けストロボを発光開始させるプレ発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたデジタルカメラ用外付けストロボの発光制御装置。
【請求項５】
防水ハウジングに入れたデジタルカメラに外付けされるストロボ装置で水中使用が可能なことを特徴とする請求項２に記載したデジタルカメラ用外付けストロボの発光制御装置。
【請求項６】
防水ハウジングに入れたデジタルカメラに外付けされるストロボ装置で水中使用が可能なことを特徴とする請求項４に記載したデジタルカメラ用外付けストロボの発光制御装置。
【請求項７】
露出補正手段には可変手段を有し、外付けストロボのプレ発光の光量を変化させる事を特徴とする請求項２に記載したデジタルカメラ用外付けストロボの発光制御装置。
【請求項８】
露出補正手段には可変手段を有し、外付けストロボのプレ発光の光量を変化させる事を特徴とする請求項４に記載したデジタルカメラ用外付けストロボの発光制御装置。
【請求項９】
露出補正手段の補正作用は外付けストロボのプレ発光停止手段の動作タイミングを変化させる事を特徴とする請求項２に記載したデジタルカメラ用外付けストロボの発光制御装置。
【請求項１０】
露出補正手段の補正作用は外付けストロボのプレ発光停止手段２の動作タイミングを変化させる事を特徴とする請求項４に記載したデジタルカメラ用外付けストロボの発光制御装置
【請求項１１】
デジタルカメラの内蔵ストロボの信号を信号検出手段により検出して、その信号により発光動作する外付けストロボ装置において、
オート光量切り替えとマニュアル光量切り替えを同一の操作部材により行うことを特徴とするデジタルカメラ用外付けストロボの発光制御装置。
【請求項１２】
デジタルカメラの内蔵ストロボの信号を信号検出手段により検出して、その信号により発光動作する外付けストロボ装置において、
オート光量切り替えと、露出補正手段の組み合わせ、またはマニュアル光量切り替えと、露出補正手段の組み合わせ、またはオート光量切り替えと、マニュアル光量切り替えと露出補正手段の組み合わせを同一の操作部材により行うことを特徴とするデジタルカメラ用外付けストロボの発光制御装置。
【発明の詳細な説明】
【技術分野】
【０００１】  本発明はストロボ内蔵型のデジタルカメラに外付けされるストロボの発光制御技術の改良に関する。
【背景技術】
【０００２】  本発明においては水中での使用と陸上での使用の両方が考えられる。本発明の効果が大きい水中使用の場合をメインに説明するが陸上での使用も可能である。
水中撮影にデジタルカメラ（以下単にカメラの場合も有り）を使用する場合は一般的にデジタルカメラを純正市販品の無色透明な防水ハウジングに入れて使用する。無色透明の理由はデジタルカメラに内蔵されたストロボ（以下内蔵ストロボ）を使用する時にストロボ光がそのまま防水ハウジングを通過して被写体を照らすようにする為である。
水中では陸上に比べ暗い場合が多いため陸上よりもストロボ光が必要になる。その場合内蔵ストロボを使用するとストロボ光がレンズ近くの海水中のゴミ、微生物、細かい物体等に当たって白く反射してきれいな写真が撮れない事がある。これをマリンスノー現象ともいう。
また、内蔵ストロボを使用すると画面の中心が明るくなり見た目がフラットな写真になってしまう。また、水中では内蔵ストロボの光量が不足し、露出不足になる等の問題がある。
陸上での商品撮影等の場合も内蔵ストロボのスポット的照射光が被写体から反射してきれいに撮れないことがある。これはカメラ側のストロボ発光部がレンズに近いため起きる問題である。【０００３】  この様な問題を解消する為には内蔵ストロボの光を検出してその信号により発光する外付けストロボが使用されている。これは外付けストロボの発光部はカメラのレンズから離す事が出来るので前記の内蔵ストロボ使用での問題は少なくなり、その分きれいな写真が撮れることになる。
外付けストロボの機能としては撮影距離が変わっても光量が一定に保たれるオートストロボが多く使用されている。これは被写体の距離が変わると光量調節が必要なマニュアルストロボよりも操作が簡単な為である。
オートストロボを使用して適正露出にするためにはカメラの絞り値とストロボの絞り値（ストロボの絞り値とは、実際には適正光量になる為の光量の強さの値でその値を分かりやすくするために通常カメラ側の絞り値に置き換えてオート光量切り替えつまみに書いてある）を同じに合わせる必要がある。
すなわちカメラの絞りを変えるたびにストロボの絞り値も変えなくてはならないという問題があり、しかも露出補正をしたい時、カメラの絞り値と同じに設定したストロボの絞り値からさらにストロボの絞り値をプラス方向かマイナス方向に変更しなくてはならないので操作が複雑になる問題がある。
また、正しく動作させる為にはオートストロボのセンサーは正しく被写体の方へ向ける必要がある。
露出の細かい調整をする場合は外付けストロボの光量調節をマニュアルにする方法もある。これはカメラから被写体までの距離があまり変化しない場合有効で、外付けストロボの光量を好みの露出になるよう、一度調整すれば良い。
一台の外付けストロボにオートストロボ機能とマニュアル機能の両方が入っていればさらに使いやすくなる。
次に水中用の外付けストロボの場合、外部にある操作つまみは軸を防水する必要がある為、少なくする必要がありまた、設置スペースも少ないので、図３のように２個が限度である。この場合出来るだけ各操作つまみにいろいろな機能を持たせる必要がある。
以下の説明では通常近距離撮影でストロボを使用すると考えて撮影距離は０．５ｍ〜１．５ｍ位を想定している。【０００４】  次に図を用いて説明する。図２は従来の方法及び装置であり、レンズ５、ＣＣＤ４、制御回路３、ストロボ発光部６などから構成されているデジタルカメラ１を水中では防水ハウジング２に入れて使用する。陸上では防水ハウジング２は不要である。
この防水ハウジングには従来型の外付けストロボ１１ｂが取り付けられている。外付けストロボはカメラのＸ接点に同調して発光させる必要が有るが、純正ハウジングには外付けストロボに接続するためのシンクロコードの端子は付いていない物がほとんどである。
これを付けると接続部を防水しなくてはならない為と、カメラにＸ接点の端子が付いてない物があり、この場合は取り付ける事は不可能な為である。
シンクロコードを用いないで行う簡単な方法として、図２のような内蔵ストロボ光の可視光を遮断して赤外光（近赤外光も含む）を透過するフィルター７を介して赤外光（近赤外光も含む）を導光手段としての光ファイバー８で導き、光検出回路９で信号を検出してその信号により外付けストロボ１１ｂを発光させる方法及び装置を使用している。上記導光手段は内蔵ストロボと外付けストロボの距離が近い時、光ファイバー８は不要の場合がある。
その場合は内蔵ストロボの赤外光（近赤外光も含む）が直接空気または水（海水）を介して光検出回路９（センサー）に届くことになる。【０００５】  動作においてはまずシャッターレバーを押すと最初に内蔵ストロボ６がプレ発光する。それと同時に内蔵ストロボの光が光ファイバー８で光検出回路９に導かれ電気信号に変換され、外付けストロボ１１ｂの制御回路１０ｂに届く。
このプレ発光は外付けストロボ１１ｂには必要ないもので、無視して発光しないか、または本発光に関係ない位の微少発光をさせる場合もある。
次の本発光は約１００ｍＳ後にシャッターが切れるのと同時に行われるが内蔵ストロボ光は前記フィルター７で遮光されているので被写体には当たらない。
その光を前記プレ発光と同様に導いて制御回路１０ｂが本発光と判断して外付けストロボ１１ｂが動作する。そして反射鏡１２からの照射光１３が被写体に当たる。
被写体からの反射光１６がセンサー１７に戻りセンサー１７は光を電気信号に変える。この電気信号は制御回路１０ｂ内の積分回路で積分されあらかじめ決められた値（適正露出）になったとき制御回路から信号を出し発光を停止させる。これにより外付けストロボを使用して適正露出の写真が撮れる訳である。
マニュアル制御の場合は公知の方法によりセンサー１７の代わりに抵抗を使いその抵抗値を可変することにより外付けストロボの発光停止のタイミングを変えて光量を調整して、適正な露出になるようにする。【０００６】  このようなオートストロボ装置の場合前記のように
１、適正露出にするためにはカメラの絞り値とストロボの絞り値を同じに合わせる必要があり、マニュアルストロボよりは良いが合わせる操作が面倒である。
２、露出補正をするためにはカメラの絞り値とストロボの絞り値を同じに合わせてあったものを、ストロボの絞り値をプラス方向かマイナス方向に変える必要があり、操作が複雑になる。
３、ストロボ１１ｂが被写体の中心を向かないとセンサー１７が被写体からの反射光を正しく受けなくなる為、露出が正確にならない事があり向きをセットするのが面倒である。
４、カメラのレンズの前面にフィルターまたはコンバーターレンズを取り付けたとき露出が変化するがこれを自動的に補正できない。
５、通常カメラにはズームレンズが付いていてテレ側とワイド側では実際の画角は異なっている。外付けストロボ１１ｂのセンサー１７は受光角が固定されていて、画角に合わせて連動しないので測光誤差が出ることがある。
６、カメラ側をプログラムモードにしたとき、周囲の明るさにより絞りとシャッタースピードが変化するが外付けストロボをその値に合わせることは簡単では無く、適正露出にすることは難しい。これらの問題があり簡単に使いこなす事は難しかった。
前記操作つまみの問題に関してはオート光量切り替えとマニュアル光量切り替えのつまみが別々になると２個分のスペースが必要で配置が出来なくなる問題があった。
【発明の開示】
【発明が解決しようとする課題】
【０００７】  本発明はこのような従来技術に鑑みなされたものであり、本発明の目的はデジタルカメラの内蔵ストロボの信号を信号検出手段により検出して、その信号により外付けストロボを発光動作させる方法及び装置において、カメラ側からの信号をトリガーとして外付けストロボのプレ発光と本発光により適正な露出になるように制御すると共にストロボ側の絞り値の設定を不要にして、操作が簡単で適正露出の高品位な写真が撮れるようにすること、
外付けストロボの操作つまみで露出の補正が簡単に出来ること、
外付けストロボの操作つまみを２個以内にしてオート、マニュアル等の機能を増やすことを特徴としたデジタルカメラ用外付けストロボの発光制御方法及び装置を提供することである。
【課題を解決するための手段】
【０００８】  前記の課題を解決するためになされた請求項１の発明は
デジタルカメラの内蔵ストロボの信号を信号検出手段により検出して、その信号により外付けストロボを発光動作させる方法において、
内蔵ストロボがプレ発光したとき、その発光信号をトリガーとして外付けストロボを発光開始させるプレ発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたことを特徴とする。【０００９】  請求項２の発明は、デジタルカメラの内蔵ストロボの信号を信号検出手段により検出して、その信号により発光動作する外付けストロボ装置において、
内蔵ストロボがプレ発光したとき、その発光信号をトリガーとして外付けストロボを発光開始させるプレ発光開始手段と内蔵ストロボのプレ発光の停止をトリガーとして外付けストロボのプレ発光を停止させるプレ発光停止手段と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたことを特徴とする。【００１０】  請求項３の発明は、デジタルカメラの内蔵ストロボの信号を信号検出手段により検出して、その信号により外付けストロボを発光動作させる方法において、
内蔵ストロボがプレ発光したとき、その発光信号をトリガーとして外付けストロボを発光開始させるプレ発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたことを特徴とする。【００１１】  請求項４の発明は、デジタルカメラの内蔵ストロボの信号を信号検出手段により検出して、その信号により発光動作する外付けストロボ装置において、
内蔵ストロボがプレ発光したとき、その発光信号をトリガーとして外付けストロボを発光開始させるプレ発光開始手段とあらかじめ設定した時間後に外付けストロボのプレ発光を停止させるプレ発光停止手段２と、内蔵ストロボが本発光したとき、その発光信号をトリガーとして外付けストロボを発光開始させる本発光開始手段と内蔵ストロボの本発光の停止をトリガーとして外付けストロボの本発光を停止させる本発光停止手段と露出補正手段を備えたことを特徴とする。【００１２】  請求項５の発明は、請求項２の発明の前記構成に加えて防水ハウジングに入れたデジタルカメラに外付けされるストロボ装置で水中使用が可能なことを特徴とする。【００１３】  請求項６の発明は、請求項４の発明の前記構成に加えて防水ハウジングに入れたデジタルカメラに外付けされるストロボ装置で水中使用が可能なことを特徴とする。【００１４】  請求項７の発明は、請求項２の発明の前記構成に加えて露出補正手段には可変手段を有し、外付けストロボのプレ発光の光量を変化させる事を特徴とする。【００１５】  請求項８の発明は、請求項４の発明の前記構成に加えて露出補正手段には可変手段を有し、外付けストロボのプレ発光の光量を変化させる事を特徴とする。【００１６】  請求項９の発明は、請求項２の発明の前記構成に加えて露出補正手段の補正作用は外付けストロボのプレ発光停止手段の動作タイミングを変化させる事を特徴とする。【００１７】  請求項１０の発明は、請求項４の発明の前記構成に加えて露出補正手段の補正作用は外付けストロボのプレ発光停止手段２の動作タイミングを変化させる事を特徴とする。【００１８】  請求項１１の発明は、デジタルカメラの内蔵ストロボの信号を信号検出手段により検出して、その信号により発光動作する外付けストロボ装置において、オート光量切り替えとマニュアル光量切り替えを同一の操作部材により行うことを特徴とする。【００１９】  請求項１２の発明は、デジタルカメラの内蔵ストロボの信号を信号検出手段により検出して、その信号により発光動作する外付けストロボ装置において、
オート光量切り替えと、露出補正手段の組み合わせ、またはマニュアル光量切り替えと、露出補正手段の組み合わせ、またはオート光量切り替えと、マニュアル光量切り替えと露出補正手段の組み合わせを同一の操作部材により行うことを特徴とする。
【発明の効果】
【００２０】  前記に説明した通り本発明によれば、カメラの内蔵ストロボの発光部は前記遮光手段で遮光されていて、内蔵ストロボの発光が原因になっている前記マリンスノー現象が起こらなくなる作用（前記遮光手段を使用しない場合は減少する作用）と共に、外付けストロボの被写体からの反射光をカメラのレンズを通して測定しているので前記オートストロボの欠点である前記１〜６を解消することができる。
外付けストロボの操作を簡単にすることが出来、測光誤差が少なくなり簡単に適正露出で高品位の写真が撮れるようになる効果がある。
露出補正が必要な時は外付けストロボの操作つまみで補正が簡単に出来る効果がある。
外付けストロボの操作つまみを少なくして機能を増やしオート光量切り替えとマニュアル光量切り替えと露出補正の機能のうち、２〜３種類の組み合わせが一つのつまみで出来る効果がある。
【発明を実施するための最良の形態】
【００２１】  水中用では図１のようにデジタルカメラは防水ハウジング２の中に納めて使用する。水中用の防水ハウジング一体形カメラは防水ハウジングとカメラの内部部品が一体型になっている物であるが、本発明の方法、装置で使用可能である。また、陸上で使用する場合、防水ハウジング２は不要である。
本発明の信号検出手段は内蔵ストロボの光を検出する外付けストロボの光検出回路９において光信号を電気信号に変換するまでの方法及び装置である。
このため図１のように信号検出手段には導光手段と遮光手段を含んでいるが、信号が検出されれば良いので、下記の理由でこれら導光手段と遮光手段を除いた構成も成立する。
上記導光手段は内蔵ストロボと外付けストロボの距離が近い時、光ファイバー８は使用しなくても良い。その場合は内蔵ストロボの光（赤外光、近赤外光も含む）が、直接空気または水（海水）を介して光検出回路９または光検出回路１８に届く。【００２２】  遮光手段は実施例の方で詳細を説明するが、遮光手段が無い装置の場合でも写真は撮れるわけで、例えば水中ではあった方がよりきれいに撮れることになるが、写真の写り具合は個人の主観であり、基準点が明確で無い。
遮光手段が無くても、内蔵ストロボだけで被写体を照らすよりは内蔵ストロボと外付けストロボの両方で被写体を照らせば前記マリンスノー現象は従来より減少してそれなりの効果は出ることになる。また、本発明では露出補正手段により露出の調節が可能な為、好みの露出に調整することが出来る効果がある。
その為、本発明では信号検出手段の構成内に遮光手段はあった方がより良い写真は撮れるが、除くことも可能で、除いた構成も含むものとする。
本発明において、内蔵ストロボの可視光は前記理由から被写体に当たらないようにした方が良い。この方法及び装置は公知になっていて、図１図２のフィルター７のように赤外光（近赤外光も含む）を透過して可視光を遮断するフィルターを内蔵ストロボの前面に配置する方法及び装置が一般的になっている。【００２３】  この方法及び装置の実施においては多数の例があり可視光を完全に遮断しなくても良い場合もある。本発明ではまとめて遮光手段として詳細は実施例の方で説明する。
外付けストロボ１１ａはカメラから少し離れた所に配置され、公知の導光手段として光ファイバー８を使用し上記遮光手段からの信号を受けるようにしている。その他回路等は構成が複雑な為、詳細は実施例の方で述べる。
【実施例１】
【００２４】  次に本発明の実施例について図面に沿って説明する。図１は本発明の信号の流れを示す実施例である。
信号検出手段に従属する遮光手段として、防水ハウジング２に入れる前にカメラの発光部６にあらかじめ赤外線透過可視光遮断のフィルター７を貼っておく。陸上用も同様である。
このようにすると内蔵ストロボが発光したとき可視光は遮断され周りからも漏れてこなくなり、これに起因する前記マリンスノー現象は起きなくなる。
次に信号検出手段に従属する導光手段として、内蔵ストロボから出た赤外光は光ファイバー８を介して光検出回路９に届き電気信号に変換される。その電気信号が制御回路１０ａに加わり、外付けストロボ１１ａは発光制御される。
光検出回路の一部であるセンサー１８をコード１９の先端に取り付ければ光ファイバー８は不要になるので光ファイバーを使用したくない場合はこのような構成にする事もできる。【００２５】  前記遮光手段において赤外線透過可視光遮断のフィルターを貼る位置は同等に効果の出る他の場所でも良く防水ハウジング２の内側、防水ハウジング２の外側でも良い。
図１と図２の右側にその代表例を示していて、７ａは防水ハウジング２の内側に貼った物、７ｅは防水ハウジング２の外側に貼った物である。
また、防水ハウジング２が不透明の場合は赤外線透過可視光遮断フィルターを貼る必要が無くその例を７ｂに示す。この場合は光を採る小さい穴として７ｃまたは７ｄを開けておくだけで良い。７ｄまたは７ｈのように反射鏡の正面では無く位置がずれても光が届けば問題は無い。７ｆは透明な窓を示し透明または不透明なハウジングに配置されている。
この場合はこの窓の部分の前面か後面に赤外線透過可視光遮断フィルターを貼るか、７ｇのように光を遮断する繊維、板等に穴を開けても良いし、採光の位置は７ｄまたは７ｈのように発光部の正面では無くても良い。また、７ｇを７ｆの内側に移動して遮光しても良い。
水中用（水陸両用）デジタルカメラの場合前記フィルターは７ｅのように内蔵ストロボの発光部の前面に貼るか、７ｇまたは７ｃのようになる。すなわち図１の防水ハウジング２が水陸両用カメラの外観になり、内部にカメラ部品が入っていると考えれば良く効果は上記と同様になる。【００２６】  ここまでは遮光手段として赤外線透過可視光遮断フィルターの使用を主に説明してきたが、写真の写りに影響しない程度であれば光の漏れがあっても問題無い。遮光部材においては光を遮断するもの、または多少の光漏れがあるものでも、この遮光部材が内蔵ストロボの前方に配置されていれば良い。その為多数の遮光手段が考えられる。
例えば可視光に近い近赤外線を透過するフィルター、赤色系フィルター、または光量を減衰させるフィルターを使用しても良い。この場合、例えば内蔵ストロボの光量を約１／４以下に減衰させれば効果がある。
また、前記及び上記と同等な特性のプラスチック樹脂の成型品でも可能であり、この場合は自由に形を作ることが出来、防水ハウジング２の樹脂にこの特性を持たせることも出来る。
さらにフィルターの代わりに光を遮断する物なら何でも良く繊維、板などの遮光部材を内蔵ストロボの前方に配置すれば良い。この場合の配置の場所は光を遮断する場所なら前方のどこでも良く限定はしない。光を採る必要があるので上記遮光部材に小さい穴を開けてそこから採るか、光が漏れている別の場所から採っても良い。
この場合を図で説明すると７ｅを遮光部材に変更して、その一部に採光の穴を開ければ良く７ｇのようになる。
また、遮光部材には穴を開けずに採光場所をずらして７ｈのようにすることも出来るし、ハウジングから外に遮光部材を少し離して配置し、その間に光ファイバーを設置しても良い。（図示省略）【００２７】  カメラのレンズの前面にワイドコンバージョンレンズまたはクローズアップレンズを別付けした場合は、通常このレンズの縁の径が大きく内蔵ストロボの光が遮断される。これを７ｋに示す。この場合は他の遮光部材は無くても良くこの場合でも同様の効果が出る。
次に一眼レフカメラなどで内蔵ストロボの発光部がポップアップする物がある。この場合は完全にポップアップして発光部が正面を向く前に７ｉのように下向きになりこの場合でも発光する物がある。この発光部から出た光はカメラの頭部に遮られて被写体にはほとんど当たらない。すなわちカメラの頭部が遮光手段となり７ｊのように採光することが出来、前記フィルターまたは遮光部材はあっても無くてもどちらでも良い。
この場合のハウジング２は透明でも不透明でも良い。また、前例のように発光部の前方に前記フィルター等の部材を配置することも出来る。【００２８】  次に図１と図５、図７を主にして動作の詳細を説明する。
現在、デジタルカメラのストロボにおいてはプレ発光と本発光を行って露出を制御する方法、装置が一般的であり本発明でもこの方法、装置を基準に説明する。図５は本発明のストロボ装置の一実施例を示すブロック図と配線図である。公知の動作は簡略化して説明する。
スイッチ２２をオンにすると電池２１から電力が供給され昇圧回路２４により昇圧された高電圧がメインコンデンサ２５に充電される。
メインコンデンサ２５の電圧が所定値以上になるとレディ回路２６により発光の準備が出来たことが表示される。
その後カメラのシャッターボタンを押すと最初に図１の内蔵ストロボ６がプレ発光する。この発光の様子を図７に示し内蔵ストロボのプレ発光の立ち上がりが７１、立ち下がりが７２である。
この内蔵ストロボ６のプレ発光の光を、導光手段の一つとして光ファイバー８を使用して光検出回路９に導く。【００２９】  このプレ発光をトリガーとして外付けストロボが発光開始するまでを、プレ発光開始手段としてその一実施例を述べる。
光検出回路９はフォトトランジスタ３２と負荷抵抗３３からなり光は電気信号に変換される。
この信号は発光開始信号検出回路４５に印加される。発光開始信号検出回路４５は信号の立ち上がりを検出するものでコンデンサ４０により検出した信号の立ち上がり分をトランジスタ４１で交流増幅してコンデンサ４２を介してトランジスタ４３で検出する。
さらにトランジスタ４４をバッファーとして使用し、ＯＮ信号として発光開始信号をトリガー回路２７に加えれば、トリガー回路が動作して放電管２８が発光を開始する。（切り替えスイッチ１１３がＴＴＬの時でプリ発光キャンセル回路１０２が不動作になり、そのまま信号が通過する）
内蔵ストロボのプレ発光時間は図７の７１と７２のように非常に短くすぐに発光を停止する。この発光停止は７２のような立ち下がり信号で前記と同様に光ファイバー８を使用して光検出回路９に光を導き、さらに前記と同じフォトトランジスタ３２によって電気信号に変換される。
本実施例では発光開始と発光停止の検出は同じフォトトランジスタで行っているが別々に合計２個使用することも出来る。【００３０】  このプレ発光の発光停止をトリガーとして外付けストロボが発光停止するまでを、プレ発光停止手段としてその一実施例を述べる。
この場合の発光停止時の立ち下がりを検出するのが発光停止信号検出回路３９で、微分コンデンサ３４により立ち下がりのエッジ（縁）を検出して、その信号はコンデンサ３５を介してトランジスタ３６によって交流増幅される。次にその信号はコンデンサ３７を介してトランジスタ３８で検出されＯＮ信号となる。
次に切り替えスイッチ１１３がＴＴＬの時の動作を説明する。ＴＴＬは通称でこの場合はカメラ側からのプレ発光と本発光の信号によって動作する接続をいう。
この場合プレ発光停止信号が発光停止信号検出回路３９からプレ発光制御回路１０８に印加されトランジスタ１０９がＯＮになりゲート電圧発生回路２３からの電圧が抵抗１１１と逆流防止ダイオード１１０を介して積分回路１２０に印加される。コンデンサ１１２はトランジスタ１０９のＯＮ時間を伸ばす作用をする。【００３１】  積分回路１２０は公知のスピードアップ抵抗１２１と積分コンデンサ１２２と放電抵抗１２３から構成されていて、抵抗１１１と積分コンデンサ１２２で積分される。積分コンデンサ１２２の電圧が所定の電圧になると発光停止信号発生回路１２４から発光停止の信号が出て発光停止信号入力回路３０に印加され、その信号は発光制御回路２９に印加され、発光制御回路２９が動作して直ちに発光は停止する。
次に露出補正手段の機能もしている発光停止信号発生回路１２４はコンパレータ１２６と比較電圧発生の為の抵抗１２５と抵抗群１２７及び切り替えスイッチ１２８から構成されている。抵抗群１２７は可変抵抗１２９に変更して調整することも出来る。
例えばコンパレータの動作電圧を０．１Ｖ（切り替えスイッチ１２８を左側）から３Ｖ（切り替えスイッチ１２８を右側）位にしておくと、低い電圧（０．１Ｖ）の時はプレ発光制御回路１０８が動作してから直ぐにコンパレータ１２６から信号が出る。すなわち、積分回路１２０はほとんど時間を経過せずに０．１Ｖになる。【００３２】  露出補正手段には可変手段を有していて、この可変手段は切り替えスイッチ１２８をだんだん右に回していくと信号が出る時間が徐々に遅くなるよう動作する。（コンパレータ１２６の動作点が徐々に高くなる為）
この信号により外付けストロボが動作した場合、上記のように露出補正手段の補正作用により放電管の発光停止の動作タイミングが変化し、放電管２８の発光波形は図８の１３１〜１３５のように変化する。
最終的には抵抗１１１と積分回路１２０の値を調整して一番良い値に決める必要がある。（図８の波形は変化を示したもので最適値では無い）
実施例ではコンパレータ１２６の抵抗群１２７を可変させて調整しているが他の方法、装置として積分回路１２０のコンデンサを多数用意して切り替えることも出来る。また、コンパレータの代わりにトランジスタのＯＮ特性を使用する図６のトランジスタ６１のような公知の回路も使用可能である。
実施例では説明が分かりやすいようディスクリート回路になっているが、同等の動作のデジタル回路やマイコン使用の場合も本発明に含むものとする。【００３３】  放電管２８の発光波形が図８の１３１〜１３５のように変化するとどのような効果があるか説明する。デジタルカメラにおいて、プレ発光により本発光の露出を決める方式ではプレ発光時の被写体からの反射光の光量を元にして本発光の露出を決めている。
従ってプレ発光の光量を適正点から少なめにすると、被写体からの反射光が少なくなり、本発光の時は多目に発光するように動作する。すなわち露出がプラス目になる。
逆にプレ発光の光量を適正点から多目にすると、被写体からの反射光が多くなり、本発光の時は少なめに発光するように動作する。すなわち露出がマイナス目になる。
この原理を利用すると外付けストロボの操作つまみにより簡単に露出補正が出来るようになる。
図８の１３１のように閃光時間が短くなる理由は発光開始は後記の理由で遅れるが発光停止は遅れが少ないためである。
尚ゲート電圧発生回路２３はストロボが発光している間、必要な電力を発光停止信号入力回路３０に供給する作用をする。【００３４】  前記、発光開始と発光停止を検出する回路は一実施例であり同等の効果があれば他の装置でも良い。例えばデジタル化して立ち上がりと立ち下がりを検出する回路。オペアンプ、コンパレータ等を使用したＩＣ回路でも動作する。
この外付けストロボの標準的な発光動作を図５のｂに示し発光開始タイミングが７５、発光停止タイミングが７６である。
標準的な露出にする為には、外付けストロボの方が全体的に光量が大きいのでそれに合わせてプレ発光は内蔵ストロボより多目にするのが一般的であるが実験して実際に適正露出になるように決めるのが良い。
外付けストロボでは発光開始に多少の時間遅れが出る。これは放電管内のガスがすぐに活性化しないからで物理的特性の為である。
他の電気回路部分の遅れがほとんど無い場合で図５のｂのように約２０μＳ（マイクロセカンド）の遅れが出る。しかしこの遅れは図で書くと大きく見えるが実際は微少のもので、しかも前記のように内蔵ストロボの光は被写体に当たらないで代わりに外付けストロボの光が被写体に当たっている。その為、内蔵ストロボと外付けストロボの両方の光が二重になって当たらないので問題無い訳である。
電気回路部分では出来るだけ動作の遅れを少なくするために回路を単純化して遅延部品（バイパスコンデンサ等）は使用しないか、微少にしている。尚図５の発光開始信号検出回路４５と発光停止信号検出回路３９にはバイパスコンデンサは使用していない。【００３５】  次に発光停止の方は発光開始ほどの遅れは出ない。放電管の発光を止める素子は半導体の為で、動作スピードは速く動作遅れはほとんど無い。
現在この素子にはＩＧＢＴが使用されている。このＩＧＢＴがＯＦＦになると放電管に流れている電流は直ちに遮断されるが放電管内部のガスが光っていて多少の残光があるが。しかし残光による動作遅れはほとんど無い。
この放電管の特性と前記のように電気回路の動作時間の調整により発光停止タイミングを速くしたり遅くしたり出来、切り替えスイッチの中心近くに適正値を持ってくればカメラの回路は内蔵ストロボが発光したときと同じ数値データで動作しても問題無いことになる。
次にこのプレ発光の光１３が被写体１４に当たりその反射光１５がカメラのレンズを通りＣＣＤ（ＣＭＯＳ）４で電気信号に変換されその値のレベルにより制御回路３で本発光の量が算出される。約１００ｍＳ（ミリセカンド）後に７３のように内蔵ストロボの本発光が開始される。
この内蔵ストロボ６の本発光の光を、前記プレ発光と同じに光ファイバー８を使用して光検出回路９に導く。【００３６】  この本発光をトリガーとして外付けストロボが本発光開始するまでを、本発光開始手段とする。この動作は前記で説明したプレ発光の発光開始の場合と同じであり７７のように発光を開始する。
その後、所定値（適正露出）になったとき７４のように内蔵ストロボの本発光が停止する。
この光信号も前記プレ発光と同じに光ファイバー８を使用して光検出回路９に導かれ、この本発光の停止をトリガーとして外付けストロボが本発光停止するまでを、本発光停止手段とする。
この場合、本発光の停止は前記プレ発光停止手段のように停止するタイミング時間を可変する必要はない。本発光の発光停止信号が来たとき可変しないようにする装置がタイマー１０１と遅延ＯＮ回路１０３で、動作としては最初のプレ発光開始信号が出たときタイマー１０１からプラス信号が約０．２秒出る。【００３７】  内蔵ストロボがプレ発光した時点において、遅延ＯＮ回路１０３は抵抗１０５とコンデンサ１０６の積分回路によりトランジスタ１０７とトランジスタ１０４にはベース電圧が掛からずまだ動作していない。その後、本発光までにはコンデンサ１０６に電圧が掛かりトランジスタ１０７とトランジスタ１０４がＯＮして抵抗１１１がショートされる。
このため本発光の時は、積分回路１２０には直ぐに電圧が発生して時間遅れは無くなることになる。前記のタイマー１０１と遅延ＯＮ回路１０３は理想的な回路構成の場合を説明したもので、これらの回路は必ずしも必要ではない。プレ発光の可変手段の可変時間を少なくした場合等では影響が少なくなる為である。
その他はプレ発光時と同様な動作をして最終的に７８のように本発光を停止して一連の動作は終了する。
このように外付けストロボの発光波形は内蔵ストロボの発光波形を修正、適正化しているので、内蔵ストロボの光が被写体に当たらなくても適正露出になる訳である。
【実施例２】
【００３８】  次に図３と図５について他の実施例を説明する。
水中ストロボの場合、操作つまみは軸を防水する必要がありまた、配置するスペースも少ないので出来るだけ少ない方が良い。具体的には２個以内にする必要がある。（陸上用も多いよりは少ない方が良い）
水中ストロボの操作部分を図３に示し、ストロボ背面９９には操作つまみ９２と操作つまみ９６  電池蓋９７  充電完了を示すレディライト９８が設置されている。
このように配置場所が限られているので、一つのつまみに多くの機能を持たせることが出来れば、今までに無い多機能な外付けストロボになる。
図５においてこの回路を説明すると、前記のように切り替えスイッチ１１３がＴＴＬポジションの時は切り替えスイッチ１２８は露出補正として働いたわけである。さらに必要な機能は前記のようにオート機能とマニュアル機能である。
この機能について説明する。本発明では発光停止信号発生回路１２４と積分回路１２０を共通化することによってこれらの機能を追加することが出来る。
切り替えスイッチ１１３をＡＵＴＯ側にしたときは前記ＴＴＬの接続は遮断され前記のプレ発光制御回路１０８は不動作となる。その代わりにフォトトランジスタ１１４に接続される。【００３９】  この回路は一般的なオート回路構成になり、動作は公知であり従来と同じである。
まず外付けストロボからの照射光が被写体に当たり、被写体からの反射光をフォトトランジスタ１１４で受光して、光を電気信号に変える。この電気信号は積分回路１２０で積分されあらかじめ決められた値（適正露出）になったとき発光停止信号発生回路１２４から信号が出て前記と同様の流れで放電管２８は発光を停止する。
抵抗群１２７の値を適正にして切り替えスイッチ１２８を切り替えれば多数の露出に対応する。本発明では最大３種類のモードを兼用するのでオートの場合の切り替えの幅は０．５絞りから１絞りが良い。（図３、図４では１絞りの幅になっている）
次に切り替えスイッチ１１３をＭＡＮＵＡＬ側にしたときは他の接続は遮断されマニュアル制御になる。
このマニュアル制御の場合は公知の方法によりフォトトランジスタ１１４の代わりに抵抗１１７を使い、その抵抗値を最適値に調整してさらに発光停止信号発生回路１２４の抵抗群１２７を切り替えることにより、外付けストロボの発光停止のタイミングを変えて少ない光量から徐々に増やして、撮影に適した光量に可変出来るように調整する。
但し、抵抗１１７だけでは可変の変化の幅が最適にならないのでマニュアル制御回路１１６として抵抗１１５とコンデンサ１１９により発光波形の立ち上がり部分とその近くの補正をしている。この値は実験で決めるのが良い。
切り替え幅は０．５絞りから１絞りにすると良い。他の動作は前記のフォトトランジスタ１１４が抵抗に変わっただけなので前記オート回路と同様である。【００４０】  オート及びマニュアルの場合は内蔵ストロボがプレ発光したとき発光する必要は無いので、プレ発光キャンセル回路１０２を動作させている。
この方法及び装置を使用すると最大３種類のモードが一つのつまみで操作出来る。この組み合わせをストロボ背面９９に配置した実施例として図３と図４に示し、切り替えスイッチ１２８が操作つまみ９６に連動していて、切り替えスイッチ１１３が操作つまみ９２に連動している。
操作つまみ９６は露出補正９３とマニュアル光量切り替え９４とオート光量切り替え９５の兼用である。
図４のａ、ｂ、ｃ、ｄはこれらの各組み合わせであり、（ｄは組み合わせ無し）自由に組み合わせが出来る為、多数の要望に応じることが出来る。
【実施例３】
【００４１】  次に図６について説明する。前記の説明では内蔵ストロボのプレ発光の発光停止を検出してそれをトリガーとして外付けストロボのプレ発光を停止していた訳であるが、デジタルカメラの内蔵ストロボはどのカメラでもほとんど同じような仕様でプレ発光の閃光時間もほとんど同じである。これは本発光の為に電力を蓄えておかなくてはならないので、プレ発光はどのカメラでも最小限にしているからである。
その為に、本発明において外付けストロボのプレ発光は内蔵ストロボのプレ発光の発光停止をトリガーとしなくても、あらかじめ設定した時間後に外付けストロボのプレ発光を停止させれば良いことになりこれをプレ発光停止手段２として下記に説明する。
内蔵ストロボがプレ発光すると前記のように発光開始信号検出回路４５が動作してプレ発光開始信号が出る。その信号はタイマー５３とプレ発光信号発生回路６３に加わる。タイマー５３は約０．２秒プラス電圧を発生する。【００４２】  そして露出補正手段としてプレ発光停止信号発生回路６３内のトランジスタ５５がＯＮになり抵抗群５６とコンデンサ６０の積分回路により所定の時間後にトランジスタ６１がＯＮになりプレ発光停止信号が発光停止信号入力回路３０に印加されプレ発光は停止する。コンデンサ５４はトランジスタ５５のＯＮ時間を伸ばす作用をする。
ここで抵抗群５６に切り替えスイッチを付けて可変手段として可変出来るようにして適正値になるよう選べば、露出補正手段の補正作用として、前記のようにプレ発光の発光停止動作タイミングを、例えば図８の１３１から１３５のように調整することが出来る。
抵抗群５６の代わりに可変抵抗にして調節自在にしても良い。このスイッチを切り替えれば前記と同様に簡単に露出補正が出来るわけである。
また、コンデンサを多数用意してコンデンサ６０の方を切り替えても良い。このようにプレ発光停止手段２では内蔵ストロボのプレ発光停止の信号は利用していないことになる。
タイマー５３に接続しているコンデンサ５２は発光停止信号検出回路３９のプレ発光時の停止信号の発生を阻止する為の物でトランジスタ５１に信号を印加して回路をインヒビットしている。このコンデンサ５２はタイマーの立ち上がりの時だけ信号が出る微分回路の為、次の本発光では動作せずにトランジスタ５１もＯＮしないためインヒビットは効かず、発光停止信号検出回路３９は内蔵ストロボの本発光の発光停止時は動作して信号を出す。【００４３】  次の本発光時はタイマー５３からの信号によりトランジスタ５９とコンデンサ５８抵抗５７からなる遅延回路６２がＯＮしてトランジスタ６１をインヒビットするので本発光時はプレ発光停止信号発生回路６３からは信号が出ずに発光停止信号検出回路３９から発光停止信号が出て通常の動作をする。
尚このような回路は一実施例であり同様な方法の他の回路または同様な動作原理のデジタル回路でも良くまた、マイコンで動作させても良い。
このような回路では抵抗群５６またはコンデンサ６０を調整してあらかじめ所定のカメラの内蔵ストロボのプレ発光に合わせて外付けストロボを発光させることが出来、その値を基準に露出補正が出来る。
その為特定のカメラ用に使用する場合便利である。また、前記のように内蔵ストロボのプレ発光はどのカメラもほとんど同じ為、同様の多機種のカメラに使用することも出来る。
【図面の簡単な説明】
【００４４】
【図１】  本出願の方法、装置の動作を説明するための実施図である。
【図２】  従来例の方法、装置の動作を説明するための実施図である。
【図３】  本出願の方法、装置における外付けストロボの操作部分の図面である。
【図４】  本出願の方法、装置における外付けストロボの操作部分の図面である。
【図５】  本出願の方法、装置の回路動作を説明するための実施図である。
【図６】  本出願の方法、装置の別の回路動作を説明するための実施図である。
【図７】  本出願の方法、装置の発光動作を説明するための波形図である。
【図８】  本出願の方法、装置の発光動作を説明するための波形図である。
【符号の説明】
【００４５】１  デジタルカメラ
２  防水ハウジング
５  レンズ
６  内蔵ストロボ
７  フィルター
８  光ファイバー
９  光検出回路
１１ａ（本発明の）外付けストロボ
１４  被写体
２８  放電管
２９  発光制御回路
３０  発光停止信号入力回路
３２  フォトトランジスタ
３９  発光停止信号検出回路
４５  発光開始信号検出回路
５３  タイマー
６３  プレ発光停止信号発生回路
９９  ストロボ背面
１０１  タイマー
１０２  プレ発光キャンセル回路
１０３  遅延ＯＮ回路
１０８  プレ発光制御回路
１１６  マニュアル制御回路
１２０  積分回路
１２４  発光停止信号発生回路
【図１】
2006119556.tif 000003
【図２】
2006119556.tif 000004
【図３】
2006119556.tif 000005
【図４】
2006119556.tif 000006
【図５】
2006119556.tif 000007
【図６】
2006119556.tif 000008
【図７】
2006119556.tif 000009
【図８】
2006119556.tif 000010